(57)【特許請求の範囲】
【請求項１】
波形管の長手方向部分に直交して延びた軸線に対して対称に構成され、か
つ波形管の上部に配置された係合構造から構成されており、前記係合構造がマッシュルーム形状であり当止肩部の上方に配置された側方延長部を有し、且つ該当止肩部と該側方延長部との間で係合領域を形成し、前記係合構造が前記波形管の波形谷部と波形管の波形頂部との間に形成されていることを特徴とする波形管。
【請求項２】
請求項１記載の波形管と固縛装置とから構成されており、該固縛装置は、
前記波形管の波形谷部と波形管の波形頂部との間に形成されている係合構造の係合領域に係合される二つの爪形状のグリップ領域を有することを特徴とする波形管固縛構造。
【請求項３】
固縛装置は、係合構造を少なくとも部分的にグリップするか、又は係合構
造に少なくとも部分的に係合し、また係合構造上にスナップ嵌合されるか、又は押し付け嵌合される請求項２に記載の波形管固縛構造。
【請求項４】
ストッパー構成が、幾つかの波形頂部に渡って延びるように一つの前記係
合構造の端部領域に位置決めされている請求項１に記載の波形管。
【請求項５】
インターロック手段が前記係合構造に設けられている請求項１又は４に記
載の波形管。
【請求項６】
固縛装置は、振動等を減衰させるために対象物に、付勢された支持を与え
る支持面を有している請求項２又は３に記載の波形管固縛構造。
【請求項７】
前記波形管は、波形管と広い長手方向スリットを有する外部波形管を有し
、波形管の係合構造は、波形管の外径より高く構成され、該係合構造は回転ストッパーとしての働きをするために波形管を取り囲んだ外部波形管の長手方向スリットの間に配置される請求項２，３又は６のいずれか一つに記載の波形管固縛構造。
【請求項８】
前記波形管は波形谷部又は波形頂部上に分離して配置された複数の回転ロ
ックを有している請求項１，４又は５のいずれか一つに記載の波形管。
【発明の詳細な説明】
【０００１】
【発明の属する技術分野】
この発明は、固縛装置によってどんな対象物にも取り付けられる波形管に関する。この発明は、更に、特に本発明に係る波形管と固縛装置とを有した波形管固縛構成に関する。
【０００２】
【従来の技術】
幾つかの異なったタイプの波形管が当業界では知られている。それらは、例えば車両のエンジン室において、またケーブルダクト等において例えば電気導管を受けるために或る一定の対象物に、それらの適用に応じて取り付けられる。この点に関して、波形管を選定された対象物に固縛するために例えば特別の保持クランプやクランプ顎等を有した搭載台等いろいろな技術が知られている。
【０００３】
【発明が解決しようとする課題】
しかし、波形管に対して適当な固縛具を見つけるにはしばしば問題が起こる。かくして、今日でさえ、波形管の固縛のためにケーブル締着具が圧倒的に多く使用されている。このことは、他の物の中で、振動は更に搭乗者室での騒音レベルを高めるので、特に自動車のエンジン室において望ましくない振動を起こすことになる。
この発明の目的は、固縛を一体的に統合化できるようにした波形管又は波形管固縛構造を提供するものである。
【０００４】
この目的は、本発明に係る波形管又は波形管固縛構成によって達成される。
本発明に係る波形管固縛構成又は本発明に係る波形管の実施例は、上記特許請求の範囲から明らかである。
【０００５】
【課題を解決するための手段】
本発明に従って達成される長所は、波形管自身の長手方向部分に直交する係合構造を有した波形管の提供に基づいている。本発明に依ると、それで波形管の内径から半径方向に更に離れるように隔設されたより大きな寸法部分を波形管の周囲方向に有している。このように、例えばスナップ嵌合したり、上で摺動させることで把持できるようにする波形管用の各種の異なった構造が提供される。そのような構造に対する例として、例えば波形管の横断面でマッシュルーム形状、フック形状、いろいろなタイプの凹んだウェブ状等の形状が使用される。それで、マッシュルーム形状や、マッシュルーム形状に似通った係合構造が、波形管と同じ加工工程で波形形成機で形成されるので特に有利である。他の形状も係合構造に有利に成り得るが、しかし、波形形成機の半分の金型の分離面は、本発明に係る特徴を有した波形管に対してどのように向けられているかに無関係に、本発明に係る特徴を有した波形管を開いた半分の金型又は半分のインゴット型からの問題無く分離するのが製造中に容易に行い得るように波形管に対して向けられ得ないと言った固有の問題を持っている。波形管と一体的に波形形成機で製造できないような構造は、引き続き波形管内に成形されたり、それに取り付けられたりしなければならないが、さもなければ波形管内又は波形管上に設けられなければならない。
【０００６】
勿論、波形管は、好ましくは、係合構造と固定インターロックするために、係合構造に合致して成形された固縛装置と組合わされる。
【０００７】
本発明に係る波形管と固縛装置とは共に、本発明によって更に包含される波形管固縛構成を造り上げる。
【０００８】
一つの係合構造又は複数の係合構造は、好ましくは波形管の波形頂部上のみに又はその内部にのみ設けられる。それで、他に波形形成のために波形加工中に別の方法で使用される素材は、係合構造を形成するために波形形成機の半分金型の係合構造に成形された凹み内に（圧力又は真空によって）適当に引き込まれたり又は押し込まれるのが特に好ましい。一つ又は複数の波形頂部上の係合構造は、それによって、ほぼ波形頂部自身の高さを有することができる。
【０００９】
既に述べたように、本発明に係る特徴を有した波形管の全長に沿うのでは無しに、好ましくは隣接した波形頂部のただ単に限定した範囲に渡って一つ又は複数の係合構造を設けることが好ましい。更に、２つに１つの波形頂部に、又は３つに１つの、又は４つに１つの等々で係合構造を設けることも可能である。
【００１０】
もし、いずれかの実施可能な個所への波形管の固縛が必要とされるならば、勿論波形管はその全長に渡って係合構造を設けなければならない。
【００１１】
勿論、係合構造は、更に波形加工中に波形頂部の波形外側にも設けられる。しかし、それで係合構造は波形管の波形を越え、またそれで、波形管の直径を越え出ることになり、それによって波形管の寸法が大きくなるであろう。更に、本発明に係る特徴を有した相応した波形管を製造するために、より多くのプラスチック材が必要とされるであろう。
【００１２】
固縛装置は、係合構造上で固縛用グリップを達成するために１つ又は複数の係合構造をクランプする。勿論、固縛装置は、もし係合構造が相応して構成されていれば係合構造においてインターロックも行うことができる。部分的なインターロックを組合わせた部分的なグリップは、更に、係合構造の構成に応じて容易に達成され得るものである。
【００１３】
しかし、係合構造のマッシュルーム形状の又はＴ−形状の構成は、機械的に安定しているので特に有利であり、またその対称性の為に、対応して成形された固縛装置によって特に容易にグリップされる点が、色々なテストで示されている。
【００１４】
固縛装置は、有利なことには係合構造上にスナップ嵌合されたり又は押し付け嵌合されるものである。固縛装置は、上述のように、それで相応して構成されなければならない。
【００１５】
本発明に係る特徴を有した波形管を固縛装置が滑らせて離してしまうのを防ぐために、好ましくは一つの係合構造の端部にストッパーが設けられており、好ましくはそのストッパーは、固縛構成の可動性を制限するために幾つかの波形頂部に渡って延びている。もし、係合構造が半径方向において波形頂部の高さを越えて延びていなければ、そのようなストッパーの配置は、隣接した波形頂部とすることもできる。係合構造は、更に、波形頂部のほんの一方の半分部に波形加工中に設けることもでき、その結果何ら係合構造が設けられていない波形頂部の他方の半分部はストッパー構成としての働きをする。それで、有利なことには、係合構造に対する固縛構成の相対的な動きを限定することができる。
【００１６】
固縛装置に対する波形管の滑りを防ぐために、好ましくは、係合構造を固縛装置とインターロックするべくインターロック手段が係合構造上に及び／若しくは固縛装置上に設けられる。
【００１７】
好ましくは、固縛装置は、対象物への固縛構成の固定のために、例えばインターロック突起等の突起を有している。勿論、本発明に係る特徴を有した波形管が固縛されることになる対象物を固縛構成に設けられ得る限り、ネジ付き突起やロックボルト突起や他のどんな突起でも設けられる。
【００１８】
波形管の固縛構成の固縛装置には、振動等を減衰させるために対象物に好ましくは付勢された支持を与える支持面を設けることができる。支持面は、それで好ましくは、固縛装置を対象物上に固縛する突起と協働する。例えば、固縛装置のインターロック部は、支持面が固縛構成のインターロック中に撓わんで反対圧力を発生するように、２つの支持面が及んでいる平面の下に設けられ、その反対圧力は、固縛構成と係合構造との間の連結が機械的に更に安定化されるように、例えば固縛構成のはさみ状グリップ領域がそれで支持されて強化されると言う作用を発揮するようになる。
【００１９】
【発明の実施の形態】
本発明を、次に２つの実施例によって更に説明する。本発明に係る別の特徴や本発明に係る実施例の別の目的及び長所を、それで添付図面を参照にして説明する。
同じ部品又は少なくとも機能上同じ部品の繰り返し説明が回避されるように同じ又は似た参照番号（例えば１２、１２Ａ、１２Ｂ）によって対応部品や対応した機能の部品を図面で参照する。
図１において、本発明に係る特徴を有した波形は、一般に参照番号の１０によって参照されている。固縛装置は、参照番号の２０によって識別されている。
【００２０】
波形管１０は、原則的にどんな所望の形状でもよい。それには、長手方向のスリットが設けられ；それには、その長手方向のスリットを閉じるための構成が設けられ；それは、楕円状又は矩形状とできる。図示の実施例の波形管１０は、例えばスリットの入ったものには、それを閉じるための波形部分と係合する回転ロック５４、５６を有している。しかし、上述のように、波形管の構造は、任意に選択され得るもので、本説明は、単に足部１２又は係合構造１２に関する波形管の構成を扱っているにすぎない。足部又は係合構造１２は、更にそれ自身回転ロックとしての働きもできるものである。
【００２１】
マッシュルーム形状の又はＴ−形状の足部１２を備えた波形管１０は、軸線５８に対して対称に構成されている。この軸線５８は、好ましくは、波形形成機の半分金型から足部１２をその分離中に取り外すことができるように波形形成機の半分金型の分離面内に配置されている。
【００２２】
足部又は係合構造１２は、波形管１０の波形の波谷部５２と波形の波頂部５０との間に形成されている。
足部１２は、当止肩部１８の上方に配置され且つそれらと共にそれらとの間に係合領域１６を形成する側方延長部１４を有している。
【００２３】
足部１２に関連した固縛構成２０は、足部１２に係合され得且つそれらの使用位置で、特に係合領域１６に配置される２つの爪形状のグリップ領域３０を有している。爪形状のグリップ領域３０に隣接した連結領域は、足部１２上に固縛構成２０を配置した後に、波形管１０をより容易に湾曲できるようにするために足部又は係合構成１２との固縛構成の係合領域で波形管を余りにも剛くしないようにする為に、足部１２の表面上に直接配置されるか、又はそれから離して配置される。
【００２４】
連結領域２２に接続される支持面２８は、それと一体となっている。他の物の中て支持面２８は、爪形状のグリップ領域又は爪３０を足部１２上でのそれらの作用位置に機械的に安定化させるためにレバーとしての働きをする。更に、支持面２８は、対象物の平坦でない面と隙間の無い係合を達成し且つ振動等を吸収したり又は減衰を行うことになる。
【００２５】
連結領域２２は、更に、スナップ嵌合突起としてここに図示されている固縛突起２４を有している。この端部に対して、インターロック用鼻部又はインターロック領域２６が突起２４上に設けられている。例えば、固縛構成２０が自動車のエンジン室内の開口内に差し込まれると、インターロック用鼻部２６は開口の縁とインターロックでき、また支持面２８は自動車の表面上に固縛構成２０を支持する。
【００２６】
図２は、本発明に係る特徴を有し且つ参照番号１０’によって参照された波形管の別の実施例を示している。
波形管１０’に対しては、その区切り面５８に関する限り、図１に係る波形管程には有利なものではないことに注目しなければならない。明らかなように、波形管１０’のこの実施例では、係合構造１２ａ、１２ｂは、波形形成機の半分金型からそれらの開放中に分離でき得るようには構成されていない。従って、ここでは、最初係合領域１６を設けずに波形管と共に足部１２ａ、１２ｂ又は係合構造を部分的に造る必要があろう。次いで、係合領域１６は、後で係合構造に成形され、それで、そこの波形管材料が、次に、少なくとも係合構造又は足部１２ａ、１２ｂの領域で再び加熱されなければならないであろう。勿論、ここに図示されている全体の係合構造は、更に、引き続き波形管の外周面上に設けることもできよう。しかし、これらの加工は、比較的高価であり、図２の実施例と比較して図１の実施例は決定的に好ましい。
【００２７】
図２に係る波形管１０’の実施例では、側方への延長部や係合構造部分１２ｂのオーバハング部１４と組合わせた係合構造１２ａは、図１に係る係合構造又は足部１２の側方延長部１４の役割を担っている。
【００２８】
例えば係合構造１２ａ、１２ｂの表面上に着座し且つ固縛突起（図示されていない）に係合領域１６を係合させる対応した固縛装置（図示されていない）は、図１係る波形管が固縛される方式で図２に係る実施例のもの１０’を固縛するために相応して設けられなければならないでしよう。
【００２９】
図３は、図４に係る波形管１００によって使用中に取り囲まれるように設計された足部付きの別の波形管１００の横断面図を示している。
【００３０】
図３に係る足部１２を有した波形管１００は、足部又は係合構造１２に関する限り、原則的に図１の実施例に従って構成されている。しかし、その横断面図は、ここでは更に、図１からも明らかなように、肩部１８に原則的に対応し得る回転ロック５３を示している。波形管１００の内周上のこの回転ロック５３は、金型の半分同士が閉鎖された金型を形成している間に圧力又は真空によって材料が金型の半分内に圧入されたり又は吸入される製造工程から結果的に生じるものである。
【００３１】
図３の実施例のもの１００は、例えばケーブルやそれに似たものを長手方向スリットに挿入するための長手方向スリット８０を有している。そのスリットは、より広くしたり、更には横に隣接した波形領域が直接相互に隣接する程小さくすることもできる。
【００３２】
明らかなように、図３に係る足部１２は、より高く構成され、従ってその保持機能に加えて更に図４に係る外部波形管用の回転ロックとしての働きもする。外部波形管は、原則的に従来の波形管として構成され、その波形は、即ちその波形の谷部５２と波形頂部５０は、それらがインターロックできるように図３に係る波形管１００の波形５０、５２に対応して構成されている。
【００３３】
図４に係る波形管１００は、図３に係る波形管１００を挿入できる比較的広いスリット８２を有している。こうように、図３に係る波形管は閉じられ、図３に係る波形管の足部１２は、図４に係る波形管が図３に係る波形管に対して回転したり、あるいはスリット８２に接近できるようにするのを防止することができる。
【００３４】
このように、図３に係る足部を有した波形管内に配置される電気導体は、図４に係る波形管でスリット８０を覆うことで永久的に保護されることになり、搭載状態で図１に係る固縛装置２０に保持される足部１２は、図３に係る足部１２を有した内部波形管１００に対して図４に係る外部波形管の回転を防止することができる。
【００３５】
足部は原則的にどんな所望の寸法も取ることができるが、しかし、それで製造過程で使用される材料量は、足部付き波形管の全外表面がほぼ図３に対応した図示の波形管の外表面に対応しなければならないように、実際には制限される点にここでは注目しなければならない。さもなければ、波形管の壁厚は、波形管の安定性が影響を受ける程余りにも薄くなるであろう。
【００３６】
蓋部材と考えることができる図４に係る波形管は、図３に係る波形管上に解体してスナップ嵌合される点にも更に注目しなければならない。更に、足部が蓋エレメント用の又は図４に係る外部波形管用の回転ロックとしての働きをする必要がないように、図３に係る波形管の外周上の肩部５３が回転ロックとしての働きをする時に特に有利な実施例が結果的に得られる点にも注目すべきである。
【００３７】
回転ロック５３は、一般に、各波形谷部毎に、又は例えば図３に係る足部１２付き波形管１００の２つに１つの又は３つに１つの波形谷部のように、選定された波形谷部にのみ設けられ得るものである。
【００３８】
回転ロックによる図３に係る波形管の剛性増大を回避するために、波形管の全長手方向範囲に渡るよりもむしろ波形管のほんの一部分のみに渡って回転ロックを設けることが望ましい。回転ロック５３は、隣の波形頂部を接続することができるが、しかし、またも波形管の剛性増大をもたらすことになる。その時、可撓性はほんの僅かだけ影響を受けるか、又は全く受けないので回転ロック５３を波形谷部に、さもなければ波形頂部上に設けるのが望ましい。
【図面の簡単な説明】
【図１】好適な実施例を横断面で示している。
【図２】更に横断面で、本発明に係る特徴を有した別の実施例を示している。
【図３】更に別の実施例を横断面で示している。
【図４】図３に係る波形管に対する外部波形管の横断面図である。
【符号の説明】
１０、１０’、１００  波形管
１２  足部（係合構造）
１２ａ、１２ｂ  係合構造
１４  側方延長部（オーバハング部）
１６  係合領域
１８  当止肩部
２０  固縛構成（装置）
２２  連結領域
２４  固縛突起（インターロック突起）
２６  インターロック領域（鼻部）
２８  支持面
３０  グリップ領域（爪）
５０  波形頂部
５２  波形谷部
５３  回転ロック（肩部）
５４、５６  回転ロック（ストッパー）
５８  軸線（区切り面）
８２  スリット
【図１】
0004141577.tif 000002
【図２】
0004141577.tif 000003
【図３】
0004141577.tif 000004
【図４】
0004141577.tif 000005